(57)【要約】【課題】簡易な構成で廃トナーを搬送できながら、小型化を図ることができるプロセスユニットを提供すること。【解決手段】  廃トナー収容ボックス９６は、現像ユニット９５よりも左方に、現像ユニット９５と対向するように位置する。廃トナー収容ボックス９６と現像ユニット９５とは、相対回転可能に連結されている。また、スクリュー９０は、左右方向に延びており、スクリュー９０を回転させることにより、廃トナーを左方に搬送して廃トナー収容ボックス９６に収容できる。そのため、簡易な構成で廃トナー収容ボックス９６に廃トナーを搬送することができ、搬送経路の構成の小型化を実現できる。【選択図】図３
2015036765.tif 000002
【特許請求の範囲】
【請求項１】
第１方向に延びる第１軸線を中心として回転可能な像担持体と、前記像担持体に残存する転写残現像剤を回収するように構成される回収部材とを備える像担持体ユニットと、
現像剤を担持するように構成され、前記第１軸線と平行な第２軸線を中心に回転可能な現像剤担持体を備える現像ユニットと、
前記回収部材によって回収された転写残現像剤を収容するように構成される廃現像剤収容ユニットと、を備え、
廃現像剤収容ユニットは、前記現像ユニットと対向するように前記現像ユニットよりも前記第１方向の一方に位置し、
前記現像ユニットは、前記廃現像剤収容ユニットに対して前記第１方向と直交する第２方向に移動可能に前記廃現像剤収容ユニットに連結されることを特徴とする、プロセスユニット。
【請求項２】
前記像担持体ユニットは、前記回収部材によって回収された転写残現像剤を前記第１方向に搬送するように構成される搬送ユニットをさらに備え、
前記廃現像剤収容ユニットは、前記搬送ユニットと連結するように構成される連結部をさらに備え、
前記連結部は、前記搬送ユニットに対して連結および分離するように構成されていることを特徴とする、請求項１に記載のプロセスユニット。
【請求項３】
前記像担持体ユニットは、
前記第１方向において前記現像ユニットよりも他方に位置する第１壁と、
前記第１方向において前記廃現像剤収容ユニットと前記現像ユニットとの間に位置する第２壁と、
前記第１壁は、前記現像ユニットの前記第１方向の他方側端部を前記像担持体ユニットに対して位置決めするように構成される第１位置決め部とを備え、
前記第２壁は、前記現像ユニットの前記第１方向の一方側端部を前記像担持体ユニットに対して位置決めするように構成される第２位置決め部を備えることを特徴とする、請求項１または２に記載のプロセスユニット。
【請求項４】
前記像担持体ユニットは、前記第１方向において前記現像ユニットよりも他方に位置する第１壁を備え、
前記第１壁は、前記現像ユニットの前記第１方向の他方側端部を前記像担持体ユニットに対して位置決めするように構成される第１位置決め部を備え、
前記廃現像剤収容ユニットは、前記現像ユニットの前記第１方向の一方側端部と係合する係合部と、前記像担持体ユニットと係合する第３位置決め部を備えることを特徴とする、請求項１または２に記載のプロセスユニット。
【請求項５】
前記廃現像剤収容ユニットは、第３壁と、前記第３壁よりも前記第１方向の他方に配置された第４壁とを有し、
前記係合部および前記第３位置決め部は、前記第４壁に設けられていることを特徴とする、請求項４に記載のプロセスユニット。
【請求項６】
前記像担持体ユニットは、前記第１方向において前記廃現像剤収容ユニットよりも一方に位置する第５壁をさらに備え、
前記第５壁は、前記廃現像剤収容ユニットを前記像担持体ユニットに対して案内するように構成されるガイド部を備えることを特徴とする、請求項３ないし５のいずれか一項に記載のプロセスユニット。
【請求項７】
前記現像ユニットは、前記像担持体ユニットに対して前記第１方向および前記第２方向の両方向に交差する第３方向に着脱するように構成され、前記像担持体ユニットに装着された状態で、前記像担持体ユニットに対して離脱可能に装着される離脱可能位置と、前記像担持体ユニットに対して離脱不能に装着される装着位置とに移動可能であって、
前記第１位置決め部は、
前記現像ユニットを、前記離脱可能位置に対して着脱するように前記第３方向に案内する第１現像ガイドと、
前記現像ユニットを、前記離脱可能位置と前記装着位置との間を移動するように案内する第２現像ガイドと、
前記現像ユニットを、前記装着位置において前記第２方向における移動を案内する第３現像ガイドとを備え、
前記ガイド部は、前記廃現像剤収容ユニットを、前記第３方向に案内するように構成されていることを特徴とする、請求項６に記載のプロセスユニット。
【請求項８】
前記像担持体ユニットは、前記現像ユニットを、前記第２方向において前記像担持体に向けて付勢するように構成される付勢部材をさらに備えることを特徴とする、請求項１ないし７のいずれか一項に記載のプロセスユニット。
【請求項９】
前記回収部材は、鉛直方向において前記像担持体よりも上方に位置し、
前記廃現像剤収容ユニットは、鉛直方向において前記回収部材よりも下方に位置することを特徴とする、請求項１ないし８のいずれか一項に記載のプロセスユニット。
【請求項１０】
前記現像ユニットは、把持部を備えていることを特徴とする、請求項１ないし９のいずれか一項に記載のプロセスユニット。
【発明の詳細な説明】
【技術分野】
【０００１】
本発明は、電子写真方式が採用される画像形成装置に用いられるプロセスユニットに関する。
【背景技術】
【０００２】
従来の電子写真方式の画像形成装置は、静電潜像が形成される像担持体と、像担持体にトナーを供給する現像器と、像担持体の転写残トナーを除去するクリーニングブレードを有するクリーニング装置と、廃トナーを水平方向外方に搬送するためのトナー搬送スクリューと、廃トナーを上方に搬送するためのトナー搬送ベルトと、廃トナーを水平方向内方に搬送するためのトナー回収スクリューとを有するトナー搬送装置と、現像器の上端部に配置される廃トナー回収装置とを備えている（例えば、特許文献１参照）。
【０００３】
この画像形成装置では、クリーニングブレードによってかきとった廃トナーを、トナー搬送スクリューで水平に搬送した後、トナー搬送ベルトで上方へ搬送し、さらに水平方向に搬送して、現像器の上端部に配置される廃トナー回収装置に回収している。
【先行技術文献】
【特許文献】
【０００４】
【特許文献１】特開２００８−１２２９２５号公報
【発明の概要】
【発明が解決しようとする課題】
【０００５】
しかるに、上記特許文献１に記載の画像形成装置では、廃トナーを一旦水平方向に搬送した後、上方に向けて搬送し、さらに水平方向に搬送するため、トナー搬送装置の構成が複雑になる。また、トナー搬送装置が大型化し、プロセスユニットの小型化が困難である。
【０００６】
そこで、本発明の目的は、簡易な構成で廃トナーを搬送できながら、小型化を図ることができるプロセスユニットを提供することにある。
【課題を解決するための手段】
【０００７】
（１）上記目的を達成するために、本発明のプロセスユニットは、第１方向に延びる第１軸線を中心として回転可能な像担持体と、像担持体に残存する転写残現像剤を回収するように構成される回収部材とを備える像担持体ユニットと、現像剤を担持するように構成され、第１軸線と平行な第２軸線を中心に回転可能な現像剤担持体を備える現像ユニットと、回収部材によって回収された転写残現像剤を収容するように構成される廃現像剤収容ユニットと、を備える。廃現像剤収容ユニットは、現像ユニットと対向するように現像ユニットよりも第１方向の一方に位置し、現像ユニットは、廃現像剤収容ユニットに対して第１方向と直交する第２方向に移動可能に廃現像剤収容ユニットに連結される。
【０００８】
このような構成によれば、廃現像剤収容ユニットは、現像ユニットよりも第１方向の一方に、現像ユニットと対向するように位置する。
【０００９】
そのため、簡易な構成で廃現像剤収容ユニットに廃トナーを搬送することができ、搬送経路の構成の小型化を実現できる。
【００１０】
しかも、現像ユニットが廃現像剤収容ユニットに対して第２方向に移動可能に連結される。
【００１１】
そのため、廃トナーを確実に搬送できつつ、現像剤担持体を像担持体に対して適切な位置に維持させることができる。
（２）また、像担持体ユニットは、回収部材によって回収された転写残現像剤を第１方向に搬送するように構成される搬送ユニットをさらに備えてもよい。廃現像剤収容ユニットは、搬送ユニットと連結するように構成される連結部をさらに備えてもよい。連結部は、搬送ユニットに対して連結および分離するように構成されていてもよい。
【００１２】
このような構成によれば、搬送ユニットは、回収部材によって回収された転写残現像剤を第１方向に搬送するように構成され、廃現像剤収容ユニットは、搬送ユニットと連結する連結部を備えている。
【００１３】
そのため、連結部により廃現像剤収容ユニットと搬送ユニットとを連結し、転写残現像剤を搬送ユニットにより第１方向に搬送することで、転写残現像剤を廃現像剤収容ユニットに収容できる。
【００１４】
その結果、簡易な構成で廃トナーを搬送でき、装置の小型化を図ることができる。
【００１５】
また、連結部は、搬送ユニットに対して連結および分離するように構成されている。
【００１６】
そのため、連結部を搬送ユニットに対して連結および分離することで、廃現像剤収容ユニットを像担持体ユニットに対して着脱できる。
（３）また、像担持体ユニットは、第１方向において現像ユニットよりも他方に位置する第１壁と、第１方向において廃現像剤収容ユニットと現像ユニットとの間に位置する第２壁とを備えてもよい。第１壁は、現像ユニットの第１方向の他方側端部を像担持体ユニットに対して位置決めするように構成される第１位置決め部を備えてもよい。第２壁は、現像ユニットの第１方向の一方側端部を像担持体ユニットに対して位置決めするように構成される第２位置決め部を備えてもよい。
【００１７】
このような構成によれば、現像ユニットの第１方向の他方側端部は、第１壁に備えられた第１位置決め部によって位置決めされ、現像ユニットの第１方向の一方側端部は、第２壁に備えられた第２位置決め部によって位置決めされる。
【００１８】
そのため、現像ユニットの第１方向一方に廃現像剤収容ユニットが対向する構成において、現像ユニットの両端部を像担持体ユニットに対して確実に位置決めして、安定した画像形成を行うことができる。
（４）また、像担持体ユニットは、第１方向において現像ユニットよりも他方に位置する第１壁を備えてもよい。第１壁は、現像ユニットの第１方向の他方側端部を像担持体ユニットに対して位置決めするように構成される第１位置決め部を備えてもよい。廃現像剤収容ユニットは、現像ユニットの第１方向の一方側端部と係合する係合部と、像担持体ユニットと係合する第３位置決め部を備えてもよい。
【００１９】
このような構成によれば、現像ユニットの第１方向の他方側端部は、第１壁に備えられた第１位置決め部によって位置決めされ、現像ユニットの第１方向の一方側端部は、廃現像剤収容ユニットに備えられた係合部に係合する。また、廃現像剤収容ユニットの第３位置決め部は、像担持体ユニットに係合する。
【００２０】
そのため、現像ユニットの第１方向一方に廃現像剤収容ユニットが対向する構成において、現像ユニットを像担持体ユニットに対して確実に装着することができる。
【００２１】
しかも、現像ユニットを廃現像剤収容ユニットを利用して装着するため部品点数を低減することができる。
（５）また、廃現像剤収容ユニットは、第３壁と、第３壁よりも第１方向の他方に配置された第４壁とを有してもよい。係合部および第３位置決め部は、第４壁に設けられていてもよい。
【００２２】
このような構成によれば、現像ユニットの第１方向の一方側端部は、廃現像剤収容ユニットの第４壁に設けられた係合部に係合し、像担持体ユニットは、廃現像剤収容ユニットの第４壁に設けられた第３位置決め部に係合する。また、第４壁は、第３壁よりも第１方向の他方に位置する。
【００２３】
そのため、現像ユニットの第１方向一方に廃現像剤収容ユニットが対向する構成において、現像ユニットを像担持体ユニットに対して一層確実に位置決めすることができる。
（６）また、像担持体ユニットは、第１方向において廃現像剤収容ユニットよりも一方に位置する第５壁をさらに備え、第５壁は、廃現像剤収容ユニットを像担持体ユニットに対して案内するように構成されるガイド部を備えていてもよい。
【００２４】
このような構成によれば、廃現像剤収容ユニットは、第５壁に備えられたガイド部によって案内される。
【００２５】
そのため、廃現像剤収容ユニットを像担持体ユニットに対して確実に装着することができる。
（７）また、現像ユニットは、像担持体ユニットに対して第１方向および第２方向の両方向に交差する第３方向に着脱するように構成され、像担持体ユニットに装着された状態で、像担持体ユニットに対して離脱可能に装着される離脱可能位置と、像担持体ユニットに対して離脱不能に装着される装着位置とに移動可能であって、第１位置決め部は、現像ユニットを、離脱可能位置に対して着脱するように第３方向に案内する第１現像ガイドと、現像ユニットを、離脱可能位置と装着位置との間を移動するように案内する第２現像ガイドと、現像ユニットを、装着位置において第２方向における移動を案内する第３現像ガイドとを備えてもよい。ガイド部は、廃現像剤収容ユニットを、第３方向に案内するように構成されていてもよい。
【００２６】
このような構成によれば、第１位置決め部は、現像ユニットを着脱方向である第３方向に案内する第１現像ガイドを備え、ガイド部は、廃現像剤収容ユニットを着脱方向である第３方向に案内するように構成されている。
【００２７】
そのため、現像ユニットの離脱可能位置への着脱方向と廃現像剤収容ユニットの像担持体ユニットへの着脱方向とを同一の方向に向けることができる。
【００２８】
その結果、現像ユニットおよび廃現像剤収容ユニットを像担持体ユニットに対して容易に着脱できる。
【００２９】
また、第１位置決め部は、現像ユニットを着脱方向である第３方向に案内する第１現像ガイドと、現像ユニットを装着位置において第２方向に案内する第３現像ガイドとを備えている。
【００３０】
そのため、現像ユニットの離脱可能位置への着脱方向を第３方向としながら、現像ユニットの装着位置における第２方向の移動を確保することができる。
【００３１】
その結果、現像剤担持体を確実に像担持体の回転に追従させて接触させることができる。
（８）また、像担持体ユニットは、現像ユニットを、第２方向において像担持体に向けて付勢するように構成される付勢部材をさらに備えてもよい。
【００３２】
このような構成によれば、付勢部材によって現像ユニットが像担持体に向けて付勢される。
【００３３】
そのため、付与された付勢力により現像剤担持体を弾性的に像担持体に接触させることができる。
【００３４】
その結果、現像剤担持体を像担持体に確実に接触させることができる。
（９）また、回収部材は、鉛直方向において像担持体よりも上方に位置し、廃現像剤収容ユニットは、鉛直方向において回収部材よりも下方に位置してもよい。
【００３５】
このような構成によれば、回収部材の下方に廃現像剤収容ユニットが位置する。
【００３６】
そのため、回収部材によって回収した転写残現像剤を、重力を利用して廃現像剤収容ユニットに収容させることができる。
【００３７】
その結果、回収部材および廃現像剤収容ユニットを簡易な構成とすることができる。
（１０）また、現像ユニットは、把持部を備えてもよい。
【００３８】
このような構成によれば、現像ユニットが把持部を備えているため、現像ユニットの着脱動作を容易に行うことができる。
【発明の効果】
【００３９】
本発明のプロセスユニットでは、簡易な構成で廃トナーを搬送できながら、小型化を図ることができるプロセスユニットを提供できる。
【図面の簡単な説明】
【００４０】
【図１】図１は、本発明のプロセスユニットの実施形態としてのプロセスカートリッジの中央断面図である。
【図２】図２は、図１に示すプロセスカートリッジが装着されるプリンタの中央断面図である。
【図３】図３は、図１に示すプロセスカートリッジの平面図である。
【図４】図４は、図３に示すプロセスカートリッジをＡ−Ａ断面で切断した状態を示す側断面図である。
【図５】図５は、図１に示すドラムカートリッジの平面図である。
【図６】図６は、図１に示す現像カートリッジの平面図である。
【図７】図７Ａは、図４に示すドラムカートリッジを右方から見た状態を示す側面図である。図７Ｂは、図４に示すドラムカートリッジをＢ−Ｂ断面で切断した状態を示す側断面図である。図７Ｃは、図４に示すドラムカートリッジをＣ−Ｃ断面で切断した状態を示す側断面図である。
【図８】図８は、図５に示す現像カートリッジを右方から見た状態を示す側面図である。
【図９】図９は、図５に示す廃トナー収容ボックスを右方から見た状態を示す側面図である。
【図１０】図１０Ａは、ドラムカートリッジに現像ユニットおよび廃トナー収容ボックスを装着させる初期の状態を右方から見た状態を示す断面図である。図１０Ｂは、ドラムカートリッジに現像ユニットおよび廃トナー収容ボックスを装着させた状態であって、現像ユニットが前方側に位置する状態を右方から見た状態を示す断面図である。図８Ｃは、ドラムカートリッジに現像ユニットおよび廃トナー収容ボックスを装着させた状態であって、現像ユニットが後方側に位置する状態を右方から見た状態を示す断面図である。
【図１１】図１１は、図６に示すプリンタの中央断面図であって、プロセスカートリッジが取出位置にある状態を示す。
【図１２】図１２は、図１に示すプロセスカートリッジの変形例のドラムカートリッジを示す平面図である。
【図１３】図１３は、図１に示すプロセスカートリッジの変形例の廃トナー収容ボックスを右方から見た状態を示す側面図である。
【図１４】図１４は、図１に示すプロセスカートリッジの変形例を示す平面図である。
【図１５】図１５は、図１４に示すプロセスカートリッジのＤ−Ｄ断面で切断した状態を示す断面図である。
【発明を実施するための形態】
【００４１】
１．プロセスカートリッジの概略
図１に示すように、プロセスユニットの一例としてのプロセスカートリッジ１５は、像担持体ユニットの一例としてのドラムカートリッジ１８と、現像カートリッジ１９とを備えている。
【００４２】
なお、以下の説明において、プロセスカートリッジ１５の方向に言及するときには、プロセスカートリッジ１５を水平に載置した状態を上下の基準とする。すなわち、図１の紙面上方が上方であり、紙面下方が下方である。また、図１の紙面右方が前方であり、図１の紙面左方が後方である。またプロセスカートリッジ１５を前方から見たときを左右の基準とする。すなわち、図１の紙面手前が左方であり、紙面奥が右方である。左右方向は、第１方向の一例である。前下と後上とを結ぶ方向は、第２方向の一例である。前上と後下とを結ぶ方向は、第３方向の一例である。左方は、第１方向の一方の一例であり、右方は、第１方向の他方の一例である。
【００４３】
ドラムカートリッジ１８は、像担持体の一例としての感光ドラム２０と、転写ローラ２１と、帯電ローラ２２とを備えている。
【００４４】
感光ドラム２０は、ドラムカートリッジ１８の後端部に回転可能に支持されている。感光ドラム２０は、略円筒形状を有しており、左右方向に延びる第１軸線Ｌ１を中心として回転可能である。
【００４５】
転写ローラ２１は、感光ドラム２０の下方に配置されている。転写ローラ２１は、略円筒形状を有しており、その上端部が感光ドラム２０の下端部と接触している。
【００４６】
帯電ローラ２２は、感光ドラム２０の前上方に配置されている。帯電ローラ２２は、略円筒形状を有しており、その後下端部が感光ドラム２０の前上端部と接触している。
【００４７】
現像カートリッジ１９は、現像ユニット９５を備えている。
【００４８】
現像ユニット９５は、感光ドラム２０の前方に配置されている。現像ユニット９５は、現像ローラ２６と、供給ローラ２７と、層厚規制ブレード２８と、トナー収容部１１０とを備えている。
【００４９】
現像ローラ２６は、現像ユニット９５の後端部に配置されている。現像ローラ２６は、略円柱形状を有しており、左右方向に延びる第２軸線Ｌ２を中心として回転可能である。現像ローラ２６の後上端部は、感光ドラム２０の前下端部と接触している。
【００５０】
供給ローラ２７は、現像ローラ２６の前下方に回転可能に支持されている。供給ローラ２７の後上端部は、現像ローラ２６の前下端部に接触している。
【００５１】
層厚規制ブレード２８は、現像ローラの２６の前方において上下方向に延びており、その下端部が現像ローラ２６の前端部に接触している。
【００５２】
トナー収容部１１０は、現像ユニット９５の前方部分に位置している。トナー収容部１１０は、左右方向に延びる断面視略矩形状を有している。トナー収容部１１０は、その内部にトナーを収容している。トナー収容部１１０は、アジテータ１２０を有している。
【００５３】
アジテータ１２０は、トナー収容部１１０内に配置されている。アジテータ１２０は、左右方向に延びていて、トナー収容部１１０内に回転可能に支持されている。
２．プロセスカートリッジの使用態様
（１）プリンタの全体構成
図２に示すように、プロセスカートリッジ１５は、プリンタ１に装着されて使用される。
【００５４】
プリンタ１は、本体ケーシング２と、給紙部３と、画像形成部４と、排紙部５と、フラットベットスキャナ６とを備えている。
【００５５】
本体ケーシング２は、左右方向に延びる略ボックス形状を有している。本体ケーシング２は、トップカバー７９を備えている。
【００５６】
トップカバー７９は、回動軸７５と、カバー本体７６と、カバーガイド１４０とを有している。
【００５７】
回動軸７５は、左右方向に延びる略円柱形状であり、本体ケーシング２の略中央部分に回転可能に支持されている。
【００５８】
カバー本体７６は、板状であり、回動軸７５から、回動軸７５の径方向の外方に向かって延びている。
【００５９】
カバーガイド１４０は、カバー本体７６の下面の前方部分において、左右両端部のそれぞれに配置されている。カバーガイド１４０は、側面視略Ｌ字の板状である。カバーガイド１４０は、規制部７８と、ガイド本体１４９とを一体に有している。
【００６０】
規制部７８は、カバー本体７９の左右方向端部における前後方向略中央部分から連続して、前下方に向かって延びている。
【００６１】
ガイド本体１４９は、規制部７８の下端部から連続して、前方に向かって延びている。これによって、ガイド本体１４９は、カバー本体７９と略平行となり、かつ、回動軸７５から離れるように延びている。詳しくは、ガイド本体１４９は、係合部１４１と、第１カバーガイド１４２と、第２カバーガイド１４３と、さそい部１４４とを一体に有している。
【００６２】
係合部１４１は、規制部７８の下端部から連続して前下方に向かって延びた後、屈曲して前上方に延びている。
【００６３】
第１カバーガイド１４２は、係合部１４１の前端部から、係合部１４１の前方部分よりも前方への傾斜が大きくなるように屈曲し、前方に向かうにつれて僅かに上方に傾斜するように延びている。
【００６４】
第２カバーガイド１４３は、第１カバーガイド１４２の前端部から屈曲して、前方に向かうにつれて僅かに下方に傾斜するように延びている。
【００６５】
さそい部１４４は、第２カバーガイド部１４３の前端部から屈曲して、第２カバーガイド１４３の傾斜よりも、前方に向かうにつれて下方に傾斜するように延びている。
【００６６】
そして、トップカバー７９は、プロセス開口１９６を閉鎖する閉鎖位置と、プロセス開口１９６を開放する開放位置との間を、回動軸７５を支点として揺動可能に構成されている。
【００６７】
給紙部３は、給紙カセット７と、給紙ローラ８と、用紙開口９と、第１ピンチローラ１１と、第２ピンチローラ１０と、ピックアップローラ１２と、１対の第１搬送ローラ１３と、１対の第２搬送ローラ１４とを備えている。
【００６８】
給紙カセット７は、本体ケーシング２の下端部内に配置されている。給紙カセット７は、本体ケーシング２に対して装着または離脱するように構成されている。給紙カセット７は、上方に向かって開放される略ボックス形状であり、プロセスカートリッジ１５に供給するための用紙Ｐを、複数枚収容している。
【００６９】
給紙ローラ８は、左右方向に延びる略円柱形状であり、給紙カセット７の前端部に対して上方に配置されている。
【００７０】
用紙開口９は、本体ケーシング２の前壁の中央に開口されている。
【００７１】
第１ピンチローラ１１は、給紙ローラ８の前方に配置されている。第１ピンチローラ１１は、左右方向に延びる略円柱形状であり、第１ピンチローラ１１の後端部は、給紙ローラ８の前端部に接触している。
【００７２】
第２ピンチローラ１２は、第１ピンチローラ１１の前上方、かつ、給紙ローラ８の前方に間隔を空けて配置されている。また、第２ピンチローラ１２は、左右方向に延びる略円柱形状である。
【００７３】
１対の第１搬送ローラ１３は、スキャナユニット１６の下方に配置されている。また、１対の第１搬送ローラ１３は、給紙ローラ８よりも後方に配置されている。１対の第１搬送ローラ１３のそれぞれは、左右方向に延びる略円柱形状であり、上下方向において、互いに接触している。
【００７４】
１対の第２搬送ローラ１４は、１対の第１搬送ローラ１４に対して、後下方に間隔を空けて配置されており、スキャナユニット１６よりも後方に位置している。１対の第２搬送ローラ１４のそれぞれは、左右方向に延びる略円柱形状であり、上下方向において互いに接触している。
【００７５】
画像形成部４は、プロセスカートリッジ１５と、スキャナユニット１６と、定着ユニット１７とを備えている。
【００７６】
プロセスカートリッジ１５は、本体ケーシング２内の側面視略中央に装着または離脱するように装着されている。
【００７７】
スキャナユニット１６は、プロセスカートリッジ１５に対して前方に配置されている。スキャナユニット１６は、後方に向かうにつれて下方に傾斜するように、前上方と後下方とを結ぶ方向に沿って配置されている。スキャナユニット１６は、感光ドラム２０に向けて画像データに基づくレーザービームＬを出射するように構成されている。
【００７８】
定着ユニット１７は、加熱ローラ３０と、加圧ローラ３１とを備えている。
【００７９】
加熱ローラ３０は、プロセスカートリッジ１５に対して、後上方に間隔を空けて配置されている。
【００８０】
加圧ローラ３１は、加熱ローラ３０に対して後下方に配置されている。そして、加圧ローラ３１の前上端部が、加熱ローラ３０の後下端部に圧接している。
【００８１】
排紙部５は、１対のガイドローラ３３と、１対の排紙ローラ３４と、排紙ガイド７４とを備えている。排紙部５の上方には、フラットベット支持壁１９５が配置されている。廃部５は、トップカバー７９よりも上方に位置している。
【００８２】
１対のガイドローラ３３は、定着ユニット１７に対して後上方に間隔を空けて位置している。
【００８３】
１対の排紙ローラ３４は、定着ユニット１７に対して前上方に間隔を空けて位置し、かつ、感光ドラム２０よりも後方に位置している。
【００８４】
排紙ガイド７４は、１対のガイドローラ３３と１対の排紙ローラ３４との間に配置されている。排紙ガイド７４は、側面視略Ｕ字状のガイドであって、１対のガイドローラ３３近傍から上方に向かった後、前方に向かって湾曲して１対の排紙ローラ３４近傍まで延びている。
【００８５】
フラットベットスキャナ６は、本体ケーシング２に対して上方に配置されている。また、フラットベットスキャナ６は、軸部４０と、押えカバー４１と、ガラス面４２と、ＣＣＤセンサ４３とを備えている。
【００８６】
軸部４０は、フラットベットスキャナ６の後下端部に備えられている。軸部４０は、左右方向に延びる略円柱状であり、排紙部５の後端部に回転可能に支持されている。これによって、フラットベットスキャナ６は、軸部４０を支点として、本体ケーシング２に対して揺動するように構成されている。
【００８７】
また、フラットベットスキャナ６は、押えカバー４１とガラス面４２との間に原稿が配置された状態において後、ＣＣＤセンサ４３により、原稿の画像情報を読み取るように構成されている。
【００８８】
プリンタ１は、図示しない制御部の制御により、画像形成動作を開始する。画像形成動作が開始すると、帯電ローラ２２が感光ドラム２０の表面を一様に帯電する。
【００８９】
その後、スキャナユニット１６が、感光ドラム２０の表面に向けてレーザービームを、後下方に向けて出射する。レーザービームは、感光ドラム２０の前方周面を露光する。これにより、画像データに基づく静電潜像が、感光ドラム２０の周面に形成される。なお、画像データとしては、例えば、プリンタ１に接続される図示しないパーソナルコンピュータなどからプリンタ１に送信される画像データや、フラットベットスキャナ６により読み取られた画像データなどが挙げられる。
【００９０】
また、アジテータ１２０は、トナー収容部１１０内のトナーを撹拌し、撹拌されたトナーを供給ローラ２７に供給する。供給ローラ２７は、アジテータ１２０から供給されたトナーを現像ローラ２６に供給する。このとき、トナーは、現像ローラ２６と供給ローラ２７との間で正極性に摩擦帯電され、現像ローラ２６上に担持される。層厚規制ブレード２８は、現像ローラ２６上に担持されたトナーを一定厚さに規制する。
【００９１】
そして、現像ローラ２６は、一定厚みとして担持するトナーを、感光ドラム２０の周面上の静電潜像に供給する。これにより、トナー像が、感光ドラム２０の周面上に担持される。
【００９２】
給紙カセット７に収容される複数の用紙Ｐは、給紙ローラ８まで送り出される。用紙Ｐは、給紙ローラ８の回転により、所定のタイミングで１枚ずつ、後上方に向かってＵターンするように搬送されて、感光ドラム２０と転写ローラ２１との接触点Ｎまで搬送される。用紙Ｐが接触点Ｎを通過するときに、転写ローラ２１は、感光ドラム２０から用紙Ｐにトナー像を転写する。
【００９３】
トナー像が形成された用紙Ｐは、各種ローラおよび感光ドラム２０の回転により定着ユニット１７に向かって移動する。そして、用紙Ｐは、加熱ローラ３０と加圧ローラ３１との間を通過する。このとき、加熱ローラ３０および加圧ローラ３１は、用紙Ｐを加熱するとともに加圧し、トナー像を用紙Ｐに熱定着する。
【００９４】
トナー像が定着した用紙Ｐは、１対のガイドローラ３３間を通過した後、排紙ガイド７４に案内されて前下方に向かってＵターンするように搬送され、１対の排紙ローラ３４間に到達する。
【００９５】
そして、１対の排紙ローラ３４は、回転することにより、用紙Ｐを、排紙口６８を介してトップカバー７９上に排出する。
３．プロセスカートリッジの詳細
（１）ドラムカートリッジ
（１−１）ドラムフレーム
ドラムカートリッジ１８は、図１および図５に示すように、ドラムフレーム５０を備えている。ドラムフレーム５０は、左右方向に延びる平面視略矩形の枠形状であり、下フレーム５３と上フレーム５５とを備えている。
（１−１−１）下フレーム
下フレーム５３は、１対の側壁５１と、第２壁の一例としての仕切壁５６と、前壁５２と、下壁５４とを備えている。
【００９６】
１対の側壁５１のそれぞれは、左右方向に互いに間隔を隔てて配置されている。１対の側壁５１は、前後方向に延びる側面視略矩形の平板形状を有している。以下の説明において、１対の側壁５１の左右に言及するときは、右の側壁５１を右壁５１Ｒとし、左の側壁を左壁５１Ｌとする。
【００９７】
図５および図７Ａに示すように、第１壁の一例としての右壁５１Ｒは、第１位置決め部の一例としての前ガイド６４および後ガイド６５を有している。
【００９８】
前ガイド６４は、右壁５１Ｒの左端面の中央部分のやや前方に配置されており、第１現像ガイドの一例としての第１部分６４ａと、第２現像ガイドの一例としての第２部分６４ｂと、第３現像ガイドの一例としての第３部分６４ｃとを有している。
【００９９】
第１部分６４ａは、右壁５１Ｒの上端中央から後下方に向かって延びている。第１部分６４ａは、後下方に向かうにつれてその幅が狭くなっている。第１部分６４ａの幅は、後述するアジテータ軸１３０の径よりも大きい。
【０１００】
第２部分６４ｂは、第１部分６４ａの下端部から下方に向かって延びている。第２部分６４ｂの下端部は、右壁５１Ｒの中央下端部のやや前上方に位置している。第２部分６４ｂの幅は、後述するアジテータ軸１３０の径と略同一である。
【０１０１】
第３部分６４ｃは、第２部分６４ｂの下端部から後上方に向かって延びている。第３部分６４ｃの幅は、後述するアジテータ軸１３０の径と略同一である。
【０１０２】
後ガイド６５は、前ガイド６４の後方に配置されており、第１現像ガイドの一例としての第４部分６５ａと、第２現像ガイドの一例としての第５部分６５ｂと、第３現像ガイドの一例としての第６部分６５ｃとを有している。
【０１０３】
第４部分６５ａは、右壁５１Ｒの上端中央から後下方に向かって延びている。第４部分６５ａは、後下方に向かうにつれてその幅が狭くなっている。第４部分６５ａの幅は、現像ローラ軸１２２の径よりも大きい。
【０１０４】
第５部分６５ｂは、第４部分６５ａの下端部から後下方に向かって延びた後、後方に向かって延びている。第５部分６５ｂの下端部は、右壁５１Ｒの中央下端部のやや後上方に位置している。第５部分６５ｂの幅は、現像ローラ軸１２２の径と略同一である。
【０１０５】
第６部分６５ｃは、第５部分６５ｂの下端部から後上方に向かって延びている。第６部分６５ｃの幅は、現像ローラ軸１２２の径と略同一である。
【０１０６】
第５壁の一例としての左壁５１Ｌは、ガイド部の一例としての左ガイド６３を有している。
【０１０７】
左ガイド６３は、左壁５１Ｌの右端面に配置されており、左壁５１Ｌの上端中央から後下方に向かって延びている。左ガイド６３の下端部は、左壁５１Ｌの中央下端部のやや上方に位置している。左ガイド６３は、その幅が後述するボス１５６の径と略同一、または、ボス１５６の径よりも大きい。
【０１０８】
図５および図７Ｃに示すように、仕切壁５６は、左右方向において、左壁５１Ｌと右壁５１Ｒとの間において左壁５１Ｌの近くに位置しており、側面視略矩形の平板形状を有している。仕切壁５６は、左壁５１Ｌおよび右壁５１Ｒと平行するように前後方向に延びている。
【０１０９】
仕切壁５６は、第２位置決め部の一例としての前ガイド８５および後ガイド８６を有している。
【０１１０】
前ガイド８５は、仕切壁５６を左右方向に貫通しており、仕切壁５６の中央部分のやや前方に配置されている。前ガイド８５は、第１部分８５ａと、第２部分８５ｂと、第３部分８５ｃとを有している。
【０１１１】
第１部分８５ａは、仕切壁５６の上端中央から後下方に向かって延びている。第１部分８５ａは、後下方に向かうにつれてその幅が狭くなっている。第１部分８５ａの幅は、後述するアジテータ軸１３０の径よりも大きい。
【０１１２】
第２部分８５ｂは、第１部分８５ａの下端部から下方に向かって延びている。第２部分８５ｂの下端部は、仕切壁５６の中央下端部のやや前上方に位置している。第２部分８５ｂの幅は、後述するアジテータ軸１３０の径と略同一である。
【０１１３】
第３部分８５ｃは、第２部分８５ｂの下端部から後上方に向かって延びている。第３部分８５ｃの幅は、後述するアジテータ軸１３０の径と略同一である。
【０１１４】
後ガイド８６は、仕切壁５６を左右方向に貫通しており、仕切壁５６の左端面の中央部分のやや後方に配置されている。後ガイド８６は、第４部分８６ａと、第５部分８６ｂと、第６部分８６ｃとを有している。
【０１１５】
第４部分８６ａは、仕切壁５６の上端中央から後下方に向かって延びている。第４部分８６ａは、後下方に向かうにつれてその幅が狭くなっている。第４部分８６ａの幅は、現像ローラ軸１２２の径よりも大きい。
【０１１６】
第５部分８６ｂは、第４部分８６ａの下端部から後下方に向かって延びた後、後方に向かって延びている。第５部分８６ｂの下端部は、仕切壁５６の中央下端部のやや後上方に位置している。第５部分８６ｂの幅は、現像ローラ軸１２２の径と略同一である。
【０１１７】
第６部分８６ｃは、第５部分８６ｂの下端部から後上方に向かって延びている。第６部分８６ｃの幅は、現像ローラ軸１２２の径と略同一である。
【０１１８】
前壁５２は、左壁５１Ｌの前端部と右壁５１Ｒの前端部との間に架設され、左右方向に延びている。前壁５２は、正面視略矩形の平板形状を有している。前壁５２は、１対の突出部１４６と、１対の支持部６８とを備えている。
【０１１９】
１対の突出部１４６のそれぞれは、前壁５２の上方部分の左右の端部に配置されている。１対の突出部１４６のそれぞれは、前壁５２から左右方向外方に突出している。
【０１２０】
１対の支持部６８のそれぞれは、右壁５１Ｒまたは仕切壁５６の左右方向内方に位置しており、前壁５２の下端部から後方に向かって突出している。１対の支持部６８のそれぞれには、付勢部材６９が備えられている。
【０１２１】
付勢部材６９は、固定部７０と、係合部７１と、ばね７２とを備えている。
【０１２２】
固定部７０は、支持部６８の先端部分に設けられており、左右方向に延びている。
【０１２３】
係合部７１は、前上方から後下方に向かって延びる前側面視略Ｌ字状の板形状であって、その下端部が固定部７０に回動自在に取り付けられている。係合部７１の上端部は、後上方に向かって屈曲している。
【０１２４】
ばね７２は、一端が支持部６８の基端部に取り付けられており、他端が係合部７１の上端部に取り付けられている。
【０１２５】
下壁５４は、感光ドラム２０の下側において、左壁５１Ｌの後下端部と右壁５１Ｒの後下端部との間に架設され、左右方向に延びている。下壁５４は、転写ローラ２１の周面に沿うように上方に向かって開放される側面視略Ｕ形状を有している。
【０１２６】
前壁５２、右壁５１Ｒ、仕切壁５６、感光ドラム２０の前端部分によって、ユニット収容部１７０が区画されている。
【０１２７】
前壁５２、左壁５１Ｌ、仕切壁５６、後述のドラム側装着部９４によって、ボックス収容部１７１が区画されている。
（１−１−２）上フレーム
上フレーム５５は、感光ドラム２０の上方に位置している。
上フレーム５５は、スクリュー収容部８０と、帯電ローラ収容部８１と、スクリュー９０と、回収部材の一例としてのブレード８３と、フィルム８４とを備えている。
【０１２８】
スクリュー収容部８０は、上フレーム５５の後端部に配置されていて、左壁５１Ｌの後上端部と右壁５１Ｒの後上端部との間に架設されている。スクリュー収容部８０は、下方に向かって開放される断面視略Ｕ字状の筒形状を有している。スクリュー収容部８０の後下端部と下フレーム５４の後上端部との間の開口領域が、感光ドラム２０と転写ローラ２１との接触点Ｎを通過した用紙Ｐを排紙するための排紙開口７７として画定されている。
スクリュー収容部８０は、ドラム側装着部９４を備えている。
【０１２９】
図３および図４に示すように、ドラム側装着部９４は、スクリュー収容部８０の左端部に位置しており、湾曲部９３と、ドラム側シャッタ８８とを備えている。
【０１３０】
湾曲部９３は、左右方向に延びる略筒形状を有している。湾曲部９３の前方側の周面には、ドラム側開口９８が開口されている。
【０１３１】
ドラム側シャッタ８８は、左右方向に延びる略筒形状を有している。ドラム側シャッタ８８は、湾曲部９３を覆うようにして湾曲部９３に移動可能に取り付けられている。ドラム側シャッタ８８の周面には、ドラムシャッタ開口９９が開口されている。
【０１３２】
ドラム側シャッタ８８が湾曲部９３に沿って移動し、ドラムシャッタ開口９９とドラム側開口９８とが前後方向において重なると、ドラム側開口９８が開放される。そして、さらにドラム側シャッタ８８が湾曲部９３に沿って移動し、ドラムシャッタ開口９９がドラム側開口９８に対して上側にずれるとドラム側開口９８が閉鎖される。
【０１３３】
スクリュー９０は、スクリュー収容部８０の湾曲部分の内方に収容されており、左右方向に延びるねじ形状を有しており、その両端部が側壁５１に回転可能に支持されている。スクリュー９０、ドラム装着部９４および湾曲部９３が搬送ユニットの一例である。
【０１３４】
ブレード８３は、平面視略矩形の平板形状であって、スクリュー収容部８０の前下端部の後下方から前上方に向かって延びている。ブレード８３は、略中央から前端までの部分が、スクリュー収容部８０の前下端部、および、後述の帯電ローラ収容部８１の後下端部に取り付けられており、その後方部分が、スクリュー収容部８０の前下端部から後下方に向かって突出している。ブレード８３の後端部は、感光ドラム２０の上端部に接触している。ブレード８３の後端部とスクリュー収容部８０の後下端部との間には、回収開口８７が開口されている。ブレード８３は、鉛直方向において感光ドラム２０よりも上方に位置する。
【０１３５】
フィルム８４は、スクリュー収容部８０の後下端部に取り付けられている。フィルム８４は、可撓性を有するフィルムであって、左右方向に延びる平面視略矩形状を有している。フィルム８４は、スクリュー収容部８０の後下端部から前上方に向かって延びており、その前端部は、ブレード８３の後端部とわずかに間隔を隔てて位置している。フィルム８４の前端部は、感光ドラム２０の上端部に接触している。
【０１３６】
帯電ローラ収容部８１は、仕切壁５６の前端部に配置されていて、左壁５１Ｌの上端部の後方部分と右壁５１Ｒの上端部の後方部分との間に架設されている。帯電ローラ収容部８１は、帯電ローラ２２の周面に沿うように湾曲している。
（１−２）感光ドラム
図１および図３に示すように、感光ドラム２０は、ドラム本体４５と、ドラム軸４６とを備えている。
【０１３７】
ドラム本体４５は、左右方向に延びる略円筒状の金属からなる円筒部と、円筒部の周面を被覆する感光層とを有している。
【０１３８】
ドラム軸４６は、左右方向に延びる略円柱形状である。ドラム軸４６の左右方向寸法は、ドラム本体４５の左右方向の寸法よりも長い。ドラム軸４６は、その中心軸線がドラム本体４５の中心軸線と一致するように、ドラム本体４５内に配置されている。
【０１３９】
そして、感光ドラム２０は、ドラム軸４６の左右両端部が側壁５１に回転可能に支持されている。ドラム軸４６の左端部は、仕切壁５６と左側壁５１Ｌとの間のユニット装着部１７０に露出している。
（２）現像カートリッジ
現像カートリッジ１９は、図１および図５に示すように、現像ユニット９５と廃現像剤収容ユニットの一例としての廃トナー収容ボックス９６とを備えている。
（２−１）現像ユニット
現像ユニット９５は、現像フレーム９７と、駆動ユニット２００とを備えている。
（２−１−１）現像フレーム
現像フレーム９７は、１対の現像側壁１００と、現像前壁１０１と、現像後壁１０７と、現像上壁１０８と、現像底壁１０３とを一体に有している。現像フレーム９７は、現像ローラ２６と、供給ローラ２７と、層厚規制ブレード２８と、アジテータ１２０を回転可能に支持している。
【０１４０】
１対の現像側壁１００は、左右方向に互いに間隔を空けて配置されている。１対の現像側壁１００のそれぞれは、前後方向に延びる側面視略矩形の板状である。
【０１４１】
現像前壁１０１は、１対の現像側壁１００の前方部分の間に架設されている。現像前壁１０１は、左右方向に延びる正面視略矩形の板状である。現像前壁１０１は、凹部１０６と把持部２１０とを備えている。
【０１４２】
凹部１０６は、現像前壁１０１の下端部に位置しており、後方に向かって窪む形状を有している。
【０１４３】
把持部２１０は、現像前壁１０１の上端部から前上方に向かって延びている。
【０１４４】
現像後壁１０７は、１対の現像側壁１００の中央部分の間に架設されている。現像前壁１０１は、左右方向に延びる正面視略矩形の板状である。現像後壁１０７は、連通口１０５を有している。
【０１４５】
連通口１０５は、現像後壁１０７の下端部に位置しており、現像後壁１０７を前後方向に貫通している。
【０１４６】
現像上壁１０８は、１対の現像側壁１００の中央部分の間に架設され、かつ、現像前壁１０１の上端部と、現像後壁１０７の上端部とに架設されている。現像上壁１０８は、左右方向に延びる平面視略矩形の板状である。
【０１４７】
現像底壁１０３は、１対の現像側壁１００の下端部間の間に架設され、かつ、現像前壁１０１の下端部と、現像後壁１０７の下端部とに架設されている。現像底壁１０３は、左右方向に延びる平面視略矩形の板状である。
【０１４８】
１対の現像側壁１００と、現像前壁１０１と、現像後壁１０７と、現像上壁１０８と、現像底壁１０３とにより区画される空間がトナー収容部１１０である。
【０１４９】
図１および図６に示すように、現像ローラ２６は、ローラ本体１２１と、現像ローラ軸１２２とを備えている。
【０１５０】
ローラ本体１２１は、１対の現像側壁１００の後端部間に配置されており、左右方向に延びる略円筒形状を有している。ローラ本体１２１の左右方向の寸法は、１対の現像側壁１００の左右方向の間隔よりも僅かに短い。
【０１５１】
現像ローラ軸１２２は、左右方向に延びる略円柱形状である。現像ローラ軸１２２の左右方向の寸法は、現像フレーム９７の左右方向の寸法よりも長い。そして、現像ローラ軸１２２は、その左右両端部のそれぞれがローラ本体１２１よりも左右方向の外方に突出するように、ローラ本体１２１の中央に挿通されている。また、現像ローラ軸１２２の左右両端部は、対応する現像側壁１００に回転可能に支持されている。現像ローラ２６は、左右方向両端部が現像側壁１００に回転可能に支持されている。すなわち、現像ローラ２６は、左右方向に延び、第１軸線Ｌ１と平行な第２軸線Ｌ２を中心として回転可能である。これによって、現像ローラ２６は、現像フレーム９７に回転可能に支持されている。
【０１５２】
また、現像ローラ軸１２２の左右両端部のそれぞれは、対応する現像側壁１００から、左右方向の外方に向かって突出している。すなわち、現像ローラ軸１２２の左端部である現像ローラ左端軸１２２ａは、左方の現像側壁１００から左方に突出している。また、現像ローラ軸１２２の右端部である現像ローラ右端軸１２２ｂは、右方の現像側壁１００から右方に突出している。
【０１５３】
アジテータ１２０は、アジテータ軸１３０と、撹拌羽根１３１とを備えている。
【０１５４】
アジテータ軸１３０は、左右方向に延びる略円柱形状である。アジテータ軸１３０の左右方向の寸法は、現像フレーム９７の左右方向の寸法よりも長い。また、アジテータ軸１３０の左右両端部は、対応する現像側壁１００に回転可能に支持されている。これによって、アジテータ１２０は、現像フレーム９７に回転可能に支持されている。また、アジテータ軸１３０の左右両端部のそれぞれは、対応する現像側壁１００から、左右方向の外方に向かって突出している。すなわち、アジテータ軸１３０の左端部であるアジテータ左端軸１３０ａは、左方の現像側壁１００から左方に突出している。また、アジテータ軸１３０の右端部であるアジテータ右端軸１３０ｂは、右方の現像側壁１００から右方に突出している。
【０１５５】
撹拌羽根１３１は、可撓性を有するフィルム材料からなる。撹拌羽根１３１は、アジテータ軸１３０のうち、トナー収容部１１０内に位置する部分から、アジテータ軸１３０の径方向の外方に延びている。
（２−１−２）駆動ユニット
図３および図６に示すように、駆動ユニット２００は、ギアカバー１９０と、現像ギア１２２ｃと、供給ギア２７ａと、アジテータギア１３０ｃと、中間ギア１４０とを備えている。
【０１５６】
ギアカバー１９０は、左方の現像側壁１００の左面に取り付けられている。ギアカバー１９０は、前後方向に延びる略ボックス形状を有している。ギアカバー１９０は、現像ギア１２２ｃと、供給ギア２７ａと、アジテータギア１３０ｃと、中間ギア１４０とを覆っている。
【０１５７】
現像ギア１２２ｃは、現像ローラ右端軸１２２ｂに相対回転不能に取り付けられている。
【０１５８】
供給ギア２７ａは、供給ローラ２７の右端部に相対回転不能に取り付けられている。供給ギア２７ａは、現像ギア１２２ｃの前方に間隔を隔てて位置している。
【０１５９】
アジテータギア１３０ｃは、アジテータ右端軸１３０ａに相対回転不能に取り付けられている。アジテータギア１３０ｃは、供給ギア２７ａの前方に間隔を隔てて位置している。
【０１６０】
中間ギア１４０は、ギアカバー１４０の左面に相対回転可能に取り付けられている。中間ギア１４０は、供給ギア２７ａとアジテータギア１３０ｃとの間に位置し、供給ギア２７ａおよびアジテータギア１３０ｃにかみ合っている。
（２−２）廃トナー収容ボックス
廃トナー収容ボックス９６は、ドラムフレーム５０のボックス収容部１７１に収容されており、現像ユニット９５と対向するように現像ユニット９５よりも左方に位置し、かつ、現像ユニット９５と左右方向に対向するように位置している。廃トナー収容ボックス９６は、鉛直方向においてブレード８３よりも下方に位置している。
【０１６１】
図１、図３および図９に示すように、廃トナー収容ボックス９６は、廃トナー収容部１５０と連結部１５１とを備えている。
【０１６２】
廃トナー収容部１５０は、側面視矩形のボックス形状を有しており、前ガイド１５４と後ガイド１５５と、ボス１５６とを備えている。
【０１６３】
前ガイド１５４は、廃トナー収容部１５０の略中央部分に左右方向に貫通するように配置されている。前ガイド１５４は、第１部分１５４ａと第２部分１５４ｂとを有している。
【０１６４】
第１部分１５４ａは、廃トナー収容部１５０の略中央部分から下方に向かって延びている。第１部分１５４ａの幅は、アジテータ軸１３０の径と略同一である。第１部分１５４ａは、図１０Ａに示すように、廃トナー収容ボックス８６がボックス収容部１７１に装着された状態で、左右方向に投影したときに、右壁５１Ｒの第２部分６４ｂ、および、仕切壁５６の第２部分８５ｂと重なる形状を有している。
【０１６５】
図１、図３および図９に示すように、第２部分１５４ｂは、第１部分１５４ａの下端部から後上方に向かって延びている。第２部分１５４ｂの幅は、アジテータ軸１３０の径と略同一である。第２部分１５４ｂは、図１０Ａに示すように、廃トナー収容ボックス８６がボックス収容部１７１に装着された状態で、左右方向に投影したときに、右壁５１Ｒの第３部分６４ｃ、および、仕切壁５６の第３部分８５ｃと重なる形状を有している。
【０１６６】
図１、図３および図９に示すように、後ガイド１５５は、廃トナー収容部１５０の後下方部分から後上方に向かって延びている。後ガイド１５５の幅は、現像ローラ軸１２２の径と略同一である。後ガイド１５５は、図１０Ａに示すように、廃トナー収容ボックス８６がボックス収容部１７１に装着された状態で、左右方向に投影したときに、右壁５１Ｒの第６部分６５ｃ、および、仕切壁５６の第６部分８６ｃと重なる形状を有している。
【０１６７】
図１、図３および図９に示すように、ボス１５６は、廃トナー収容部１５０の左方端面の下方部分の略中央に配置されている。ボス１５６は、廃トナー収容部１５０の左方側端面から左方に向かって突出している。
【０１６８】
連結部１５１は、廃トナー収容部１５０の後方に配置されている。連結部１５１は、廃トナー通過部１６１と、ボックス側装着部１６０とを備えている。
【０１６９】
廃トナー通過部１６１は、略筒形状であって、廃トナー収容部１５０の後上方部分から後上方に向かって延びている。すなわち、廃トナー通過部１６１は、前下方から後上方にかけて傾斜している。廃トナー通過部１６１は、内周面１６１ａを有している。
【０１７０】
内周面１６１ａは、廃トナー通過部１６１の内周面であって、略円筒形状を有している。内周面１６１ａの下面は、廃トナーが自重により前下方に移動する際に、廃トナーに接触しつつ、廃トナーを前下方に案内する傾斜面である。
【０１７１】
ボックス側装着部１６０は、湾曲部１６２と、ボックス側シャッタ１６３とを備えている。
【０１７２】
湾曲部１６２は、廃トナー通過部１６１の後端部を閉鎖するように、廃トナー通過部１６１の後端部に配置されている。湾曲部１６２は、側面視略半円形状であって左右方向に延びている。湾曲部１６２は、ドラム側装着部９４の湾曲部９３と側面視においてほぼ重なるように湾曲しており、ドラム側装着部９４の湾曲部９３に対して連結および分離するように構成されている。湾曲部１６２の前下方部分には、前後方向に貫通するボックス側開口１６５が開口されている。
【０１７３】
ボックス側シャッタ１６３は、湾曲部１６２の湾曲面の内方側に移動可能に取り付けられている。ボックス側シャッタ１６３は、側面視が湾曲状の湾曲板形状であって、湾曲部１６２の湾曲面に沿う形状を有していている。ボックス側シャッタ１６３が湾曲部１６２に沿って移動することで、ボックス側開口１６５が開放され、または閉鎖される。
（２−３）廃トナー収容ボックスと現像ユニットとの連結
廃トナー収容ボックス９６と現像ユニット９７とは、相対移動可能に連結されている。詳しくは、図３および図５に示すように、アジテータ左端軸１３０ａは、前ガイド１５４を挿通していて、前ガイド１５４に沿うようにして移動可能である。現像ローラ左端軸１２２ａは、後ガイド１５５を挿通していて、後ガイド１５５に沿うようにして移動可能である。これにより、現像ユニット９７は、アジテータ左端軸１３０ａが前ガイド１５４に案内され、かつ、現像ローラ左端軸１２２ａが後ガイド１５５に案内される範囲内で、廃トナー収容ボックス９６に対して移動可能である。
４．本体ケーシングへのプロセスカートリッジの着脱
（１）ドラムカートリッジに対する現像カートリッジの着脱
図１０を参照して、ドラムカートリッジ１８に対する現像カートリッジ１９の装着を説明する。
【０１７４】
まず、作業者は、現像カートリッジ１９をドラムカートリッジ１８に装着するときには、把持部２１０を把持し、現像ユニット９５を廃トナー収容ボックス９６に対して右側面視時計回りに回動させる。
【０１７５】
すると、現像ユニット９５は、その後端部が後下方へ向かうように、廃トナー収容ボックス９６に対して回動する。アジテータ左端軸１３０ａは、廃トナー収容ボックス９６の第１部分１５４ａの上端部内に配置される。現像ローラ左端軸１２２ａは、廃トナー収容ボックス９６の後ガイド１５５の前下端部内に配置される。
【０１７６】
次いで、作業者は、把持部２１０を把持し、現像ユニット９５が廃トナー収容ボックス９６に対して回動した状態で、現像ユニット９５をユニット装着部１７０内に挿入するとともに、廃トナー収容ボックス９６をボックス収容部１７１内に挿入する。
【０１７７】
すると、廃トナー収容ボックス９６のボス１５６は、ドラムカートリッジ１８の右壁５１Ｌの左ガイド６３内に嵌まる。アジテータ左端軸１３０ａは、廃トナー収容ボックス９６と現像ユニット９５との間において、仕切壁５６の第１部分８５ａ内に嵌まる。アジテータ右端軸１３０ｂは、右壁５１Ｒの第１部分６４ａ内に嵌まる。現像ローラ左端軸１２２ａは、廃トナー収容ボックス９６と現像ユニット９５との間において、仕切壁５６の第４部分８６ａ内に嵌まる。現像ローラ右端軸１２２ｂは、右壁５１Ｒの第４部分６５ａ内に嵌まる。
【０１７８】
次いで、作業者は、把持部２１０を把持し、現像カートリッジ１９を、後下方へ向かって押し込む。
【０１７９】
すると、廃トナー収容ボックス９６は、ボス１５６が左ガイド６３に案内されることにより、後下方へ移動する。
【０１８０】
また、現像ユニット９５は、アジテータ左端軸１３０ａが仕切壁５６の第１部分８５ａに案内され、アジテータ右端軸１３０ｂが右壁５１Ｒの第１部分６４ａに案内され、現像ローラ左端軸１２２ａが仕切壁５６の第４部分８６ａおよび第５部分８６ｂに案内され、現像ローラ右端軸１２２ｂが右壁５１Ｒの第４部分６５ａおよび第５部分６５ｂに案内される。これにより、現像ユニット９５は、廃トナー収容ボックス９６に対して回動した状態で、後下方へ移動する。
【０１８１】
そして、廃トナー収容ボックス９６は、図１０Ａに示すように、ボス１５６が左ガイド６３の後下端部に位置することにより、ボックス収容部１７１内に装着され、位置決めされる。このとき、廃トナー収容部１５０の第１部分１５４ａは、右壁５１Ｒの第２部分６４ｂと左右方向に重なり、廃トナー収容部１５０の第２部分１５４ｂは、右壁５１Ｒの第３部分６４ｃと左右方向に重なる。また、廃トナー収容部１５０の後ガイド１５５は、右壁５１Ｒの第６部分６５ｃに左右方向に重なる。
【０１８２】
また、このとき、図４に示すように、連結部１５１の湾曲部１６２は、ドラムフレーム５０のドラム側装着部９４の前上半分に外方から嵌まる。ボックス側シャッタ１６３は、ドラム側装着部９４と係合する。すなわち、連結部１５１は、ドラム側装着部９４に対して連津および分離するように構成されている。
【０１８３】
また、現像ユニット９５は、図１０Ａに示すように、現像ローラ右端軸１２２ｂが第６部分６５ｃの前端部内に位置することにより、廃トナー収容ボックス９６に対して回動した状態で、ユニット装着部１７０内に装着される。このときの現像ユニット９５の位置が、離脱可能位置である。このとき、アジテータ左端軸１３０ａは、仕切壁５６の第２部分８５ｂの上方に臨んでいる。また、アジテータ右端軸１３０ｂは、右壁５１Ｒの第２部分６４ｂの上方に臨んでいる。また、現像ローラ２６は、感光ドラム２０の前下方にわずかに間隔を隔てて位置している。
【０１８４】
次いで、作業者は、把持部２１０を把持し、現像ローラ軸１２２を回転中心として、現像ユニット９５の前端部を上方から下方へ押圧する。
【０１８５】
すると、現像ユニット９５は、現像ローラ軸１２２を回転中心として、廃トナー収容ボックス９６に対して右側面視反時計回りに回動する。
【０１８６】
すると、図１０Ｂに示すように、アジテータ右端軸１３０ｂは、右壁５１Ｒの第２部分６４ｂの下端部内に配置され、アジテータ左端軸１３０ａは、仕切壁５６の第２部分８５ｂおよび廃トナー収容部１５０の第１部分１５４ａの下端部内に配置される。また、現像ユニット９５の前下端部が係合部７１に上方から当接する。これにより、係合部７１は、ばね７２の付勢力に抗して、その下端部を支点として右側面視反時計回りに回動する。
【０１８７】
次いで、作業者は、把持部２１０を把持し、係合部７１による現像ユニット９５に対する押圧力を利用しながら、現像ユニット９５を後上方へ押圧する。
【０１８８】
すると、現像ユニット９５は、アジテータ左端軸１３０ａが第３部分８５ｃに案内され、アジテータ右端軸１３０ｂが右壁５１Ｒの第３部分６４ｃに案内され、現像ローラ左端軸１２２ａが仕切壁５６の第６部分８６ｃに案内され、現像ローラ左端軸１２２ａが右壁５１Ｒの第６部分６５ｃに案内されることにより、後上方へ移動する。
【０１８９】
そして、図１０Ｃに示すように、現像ローラ２６の後端部が感光ドラム２０の前端部に接触すると、現像ユニット９５のユニット装着部１７０に対する装着が完了する。このときの現像ユニット９５の位置が、装着位置である。
【０１９０】
また、作業者は、現像ユニット９５のユニット装着部１７０に対する装着が完了した後、ドラム側開口９８とドラムシャッタ開口９９とが向かい合うように、ドラム側装着部９４を回動させる。すると、ドラム側装着部９４の回動に伴ってボックス側シャッタ１６３がボックス側開口１６５に対して上方へ移動し、ドラム側開口９８とドラムシャッタ開口９９とボックス側開口１６５とが互いに連通される。
【０１９１】
なお、現像カートリッジ１９をドラムカートリッジ１８から離脱させるには、上記したドラムカートリッジ１８に対する現像カートリッジ１９の装着動作と反対に、現像カートリッジ１９を操作する。
【０１９２】
詳しくは、作業者は、ドラムシャッタ開口９９がドラム側開口９８に対して下方へずれるようにドラム側装着部９４を回動させた後、現像ユニット９５を、右側面視時計回りに回動させて、図１０Ｃに示す装着位置から、図１０Ａに示す離脱可能位置へ移動させる。
【０１９３】
その後、作業者は、把持部２１０を把持し、現像カートリッジ１９をドラムカートリッジ１８から上方へ引き抜いて、離脱させる。
（２）本体ケーシングに対するプロセスカートリッジの着脱
図１１を参照して、本体ケーシング２に対するプロセスカートリッジ１５の装着を説明する。
【０１９４】
プロセスカートリッジ１５を本体ケーシング２に装着するには、図１１に示すように、作業者は、フラットベットスキャナ６を左側面視反時計回りに揺動させるとともに、トップカバー７９を閉鎖位置から開放位置に移動させる。
【０１９５】
次いで、作業者は、プロセスカートリッジ１５を、本体ケーシング２内に後下方に向かって挿入する。このとき、各突出部１４６は、カバーガイド１４０のさそい部１４４上に位置する。
【０１９６】
次いで、作業者は、プロセスカートリッジ１５を後下方に向かって押し込む。そうすると、各突出部１４６は、さそい部１４４上から、第２カバーガイド１４３を経て、第１カバーガイド１４２上に到達する。これによって、ドラムカートリッジ１８は、後下方に移動する。
【０１９７】
そして、プロセスカートリッジ１５が、さらに後下方に移動すると、各突出部１４６が対応する係合部１４１に到達して嵌まり込むとともに、各突出部１４６の後端部が規制部７８に接触する。
【０１９８】
次いで、作業者は、トップカバー７９を開放位置から閉鎖位置に移動させるとともに、フラットベットスキャナ６を左側面視時計回りに揺動させる。
【０１９９】
このとき、突出部１４６は、トップカバー７９の移動に伴って後下方に移動する。そうすると、プロセスカートリッジ１５は、後下方に向かって移動し、図１に示すように、本体ケーシング２内に装着される。
【０２００】
以上によって、プロセスカートリッジ１５の本体ケーシング２に対する装着動作が完了する。
【０２０１】
なお、本体ケーシング２からプロセスカートリッジ１５を離脱させるには、作業者は、上記した装着動作と反対にプリンタ１を操作する。
【０２０２】
詳しくは、作業者は、フラットベットスキャナ６を左側面視反時計回りに揺動させるとともに、トップカバー７９を閉鎖位置から開放位置に移動させる。なお、トップカバー７９の閉鎖位置と開放位置との間の移動は、公知の連動機構により、フラットベットスキャナ６の揺動に連動させることもできる。
【０２０３】
このとき、突出部１４６が対応する係合部１４１に嵌まっているので、突出部１４６は、トップカバー７９の閉鎖位置から開放位置への移動に伴って、上方に向かって移動する。そうすると、プロセスカートリッジ１５は、後端部を支点として前端部が左側面視反時計回りに回転するように、上方に向かって移動する。
【０２０４】
これによって、プロセスカートリッジ１５の前上端部は、プロセス開口１９６を介して、本体ケーシング２外に位置する。
【０２０５】
次いで、作業者は、プロセスカートリッジ１５を前上方に引き出す。
【０２０６】
そうすると、突出部１４６は、前上方に移動して、ガイド本体１４９の係合部１４１から離脱し、第１カバーガイド１４２上に移動する。そして、第１カバーガイド１４２が突出部１４６の移動をガイドする。これによって、プロセスカートリッジ１５は、前上方に向かって移動する。
【０２０７】
次いで、作業者が、プロセスカートリッジ１５をさらに前上方に引き出すと、突出部１４６は、前上方に移動し、第１カバーガイド１４２上から第２カバーガイド１４３上に移動する。このとき、第２カバーガイド１４３が突出部１４６の移動をガイドする。
【０２０８】
これによって、プロセスカートリッジ１５は、さらに前上方に向かってガイドされる。
【０２０９】
次いで、作業者が、プロセスカートリッジ１５をさらに前方に引き出すと、突出部１４６は、前方に移動し、第２カバーガイド１４３上からさそい部１４４上に移動した後、カバーガイド１４０から離脱する。
【０２１０】
これによって、プロセスカートリッジ１５は、前方に向かって移動し、本体ケーシング２から離脱される。
【０２１１】
次いで、作業者が、トップカバー７９を開放位置から閉鎖位置に移動させるとともに、フラットベットスキャナ６を、フラットベット支持壁１９５と接触するまで、左側面視時計回りに揺動させる。
【０２１２】
以上によって、プロセスカートリッジ１５の本体ケーシング２からの離脱動作が完了する。
５．クリーニング動作
次いで、画像形成動作における感光ドラム２０のクリーニングについて説明する。
【０２１３】
上記した画像形成動作では、感光ドラム２０表面のトナー像が用紙Ｐに転写された後に、感光ドラム２０表面に転写残現像剤の一例としての転写残トナーが残存する場合がある。
【０２１４】
感光ドラム２０表面の転写残トナーは、感光ドラム２０の回転に伴って、フィルム８４によって除電された後、ブレード８３によってスクリュー収容部８０内に掻き取られる。
【０２１５】
スクリュー収容部８０内に掻き取られた転写残トナーは、スクリュー９０によって左方へ搬送され、湾曲部９３において、ドラム側開口９８、ドラムシャッタ開口９９およびボックス側開口１６５を順次介して廃トナー通過部１６１内へ自重によって流入する。  
【０２１６】
廃トナー通過部１６１内に流入した転写残トナーは、前下方に向かって傾斜する廃トナー通過部１６１の内周面１６１ａに案内され、自重によって廃トナー通過部１６１内を前下方へ流れて、廃トナー収容部１５０内に収容される。
６．作用効果
（１）このプロセスカートリッジ１５によれば、図３に示すように、廃トナー収容ボックス９６は、現像ユニット９５よりも左方に、現像ユニット９５と対向するように位置する。
【０２１７】
そのため、簡易な構成で廃トナー収容ボックス９６に廃トナーを搬送することができ、搬送経路の構成の小型化を実現できる。
【０２１８】
しかも、現像ユニット９５が廃トナー収容ボックス９６に対して前下と後上とを結ぶ方向に移動可能に連結される。
【０２１９】
そのため、廃トナーを確実に搬送できつつ、現像ローラ２６を感光ドラム２０に対して適切な位置に維持させることができる。
（２）また、図５に示すように、スクリュー９０は、ブレード８３によって回収された廃トナーを左方に搬送するように構成され、廃トナー収容ボックス９６は、ドラム側装着部９４と連結する連結部１５１を備えている。  
【０２２０】
そのため、連結部１５１により廃トナー収容ボックス９６とドラム側装着部９４とを連結し、廃トナーをスクリュー９０により左方に搬送することで、廃トナーを廃トナー収容ボックス９６に収容できる。
【０２２１】
その結果、簡易な構成で廃トナーを搬送でき、装置の小型化を図ることができる。
【０２２２】
また、連結部１５１は、ドラム側装着部９４に対して連結および分離するように構成されている。
【０２２３】
そのため、連結部１５１をドラム側装着部９４に対して連結および分離することで廃トナー収容ボックス９６をドラムカートリッジ１５に対して着脱できる。
（３）また、図３に示すように、現像ユニット９５の現像ローラ右端軸１２２ｂは、右壁５１Ｒに備えられた後ガイド６５によって位置決めされ、現像ユニット９５の現像ローラ左端軸１２２ａは、仕切壁５６に備えられた後ガイド８６によって位置決めされる。
【０２２４】
そのため、現像ユニット９５の左方に廃トナー収容ボックス９６が対向する構成において、現像ユニット９５の両端部をドラムカートリッジ１５に対して確実に位置決めして、安定した画像形成を行うことができる。
（４）また、図３に示すように、廃トナー収容ボックス９６は、左壁５１Ｌに備えられた左ガイド６３によって案内されて、固定される。
【０２２５】
そのため、廃トナー収容ボックス９６をドラムカートリッジ１５に対して確実に装着することができる。
（５）また、図７Ｃに示すように、前ガイド６４は、現像ユニット９５を着脱方向である前上と後下を結ぶ方向に案内する第１部分を備えている。図７Ｂに示すように、左ガイド６３は、廃トナー収容ボックス９６を着脱方向である前上と後下を結ぶ方向に案内するガイドである。
【０２２６】
そのため、現像ユニット９５の離脱可能位置への着脱方向と廃トナー収容ボックス９６のドラムカートリッジ１８への着脱方向とを同一の方向に向けることができる。
【０２２７】
その結果、現像ユニット９５および廃トナー収容ボックス９６をドラムカートリッジ１８に対して容易に着脱できる。
【０２２８】
また、前ガイド６４は、現像ユニット９５を着脱方向である前上と後下を結ぶ方向に案内する第１部分６４ａと、現像ユニット９５を装着位置において前下と後上を結ぶ方向に案内する第３部分６４ｃとを備えている。後ガイド６５は、現像ユニット９５を着脱方向である前上と後下を結ぶ方向に案内する第１部分６５ａおよび第２部分６５ｂと、現像ユニット９５を装着位置において前下と後上を結ぶ方向に案内する第３部分６５ｃとを備えている。
【０２２９】
そのため、現像ユニット９５の離脱可能位置への着脱方向を前上と後下を結ぶ方向としながら、現像ユニット９５の装着位置における前下と後上を結ぶ方向の移動を確保することができる。
【０２３０】
その結果、現像ローラ２６を確実に感光ドラム２０の回転に追従させて接触させることができる。
（６）また、図１０Ｂに示すように、付勢部材６９によって現像ユニット９５が感光ドラム２０に向けて付勢される。
【０２３１】
そのため、付与された付勢力により現像ローラ２６を弾性的に感光ドラム２０に接触させることができる。
【０２３２】
その結果、現像ローラ２６を感光ドラム２０に確実に接触させることができる。
（７）また、図１に示すように、ブレード８３は、鉛直方向において感光ドラム２０よりも上方に位置し、廃トナー収容ボックス９６は、鉛直方向においてブレード８３よりも下方に位置してもよい。
【０２３３】
このような構成によれば、ブレード８３の下方に廃トナー収容ボックス９６が位置する。
【０２３４】
そのため、ブレード８３によって回収した廃トナーを、重力を利用して廃トナー収容ボックス９６に収容させることができる。
【０２３５】
その結果、ブレード８３および廃トナー収容ボックス９６を簡易な構成とすることができる。
（８）また、図１に示すように、現像ユニット９５が把持部を備えているため、現像ユニット９５の着脱動作を容易に行うことができる。
７．変形例
図１２〜図１５を参照して、プロセスカートリッジの変形例を説明する。なお、この変形例において、上記した実施形態と同様の部材には同様の符号を付し、その説明を省略する。
【０２３６】
上記した実施形態では、ドラムカートリッジ１８は、ユニット収容部１７０とボックス収容部１７１とを仕切る仕切壁５６を備えている。そして、現像カートリッジ１９の現像ローラ左端軸１２２ａおよびアジテータ左端軸１３０ａのそれぞれは、仕切壁５６の後ガイド８６および前ガイド８５のそれぞれによって、ドラムカートリッジ１８に対して位置決めされている。
【０２３７】
対して、この変形例では、図１２に示すように、ドラムカートリッジ１８は、仕切壁５６を備えておらず、図１５に示すように、現像カートリッジ１９の現像ローラ左端軸１２２ａおよびアジテータ左端軸１３０ａのそれぞれは、廃トナー収容ボックス９６の後ガイド１５５および前ガイド１５４のそれぞれによって、ドラムカートリッジ１８に対して位置決めされる。なお、後ガイド１５５および前ガイド１５４が、係合部の一例である。
【０２３８】
詳しくは、廃トナー収容ボックス９６は、図１３に示すように、第３位置決め部の一例としてのとしての凹部２０７を有している。
【０２３９】
凹部２０７は、廃トナー収容ボックス９６の廃トナー収容部１５０の後端部に配置されている。凹部２０７は、の廃トナー収容部１５０の後端縁から前上方へ凹み、後下端部が開放された側面視略Ｕ字形状を有している。凹部２０７は、廃トナー収容ボックス９６の右側壁を延長し、その延長した部分に設けられている。なお、廃トナー収容ボックス９６の左側壁が第３壁の一例であり、右側壁が第４壁の一例である。
【０２４０】
そして、図１４および図１５に示すように、現像カートリッジ１９がドラムカートリッジ１８に装着されたときには、凹部２０７は、ボックス収容部１７１内に位置するドラム軸４６に嵌まる。これにより、廃トナー収容ボックス９６は、ドラムカートリッジ１８に対して位置決めされる。
【０２４１】
そして、現像カートリッジ１９の現像ローラ左端軸１２２ａおよびアジテータ左端軸１３０ａのそれぞれは、ドラムカートリッジ１８に対して位置決めされる廃トナー収容ボックス９６の後ガイド１５５および前ガイド１５４のそれぞれによって、廃トナー収容ボックス９６に対して係合する。
【０２４２】
これにより、現像カートリッジ１９は、廃トナー収容ボックス９６を介してドラムカートリッジ１８に対して位置決めされる。
【０２４３】
この変形例によれば、図１４に示すように、現像ユニット９７の現像ローラ左端軸１２２ａは、廃トナー収容ボックス９６に備えられた後ガイド１５５に係合し、現像ユニット９７の現像ローラ右端軸１２２ｂは、右壁５１Ｒに備えられた後ガイド６５によって位置決めされる。
【０２４４】
そのため、現像ユニット９７の左方に廃トナー収容ボックス９６が対向する構成において、現像ユニット９７をドラムカートリッジ１８に対して確実に装着することができる。
【０２４５】
しかも、現像ユニット９７を廃トナー収容ボックス９６を利用して装着するため部品点数を低減することができる。
【０２４６】
また、この変形例においても、上記した実施形態と同様の作用効果を奏することができる。
【符号の説明】
【０２４７】
１５      プロセスカートリッジ
１８      ドラムカートリッジ
２０      感光ドラム
５１Ｒ    右壁
５１Ｌ    左壁
５６      仕切壁
６３      左ガイド
６４      前ガイド
６５      後ガイド
６９      付勢部材
８３      ブレード
８５      前ガイド
８６      後ガイド
９０      スクリュー
９４      ドラム側装着部
９５      現像ユニット
９６      廃トナー収容ボックス
１５１    連結部
Ｌ１      第１軸線
Ｌ２      第２軸線
【図１】
2015036765.tif 000003
【図２】
2015036765.tif 000004
【図３】
2015036765.tif 000005
【図４】
2015036765.tif 000006
【図５】
2015036765.tif 000007
【図６】
2015036765.tif 000008
【図７】
2015036765.tif 000009
【図８】
2015036765.tif 000010
【図９】
2015036765.tif 000011
【図１０】
2015036765.tif 000012
【図１１】
2015036765.tif 000013
【図１２】
2015036765.tif 000014
【図１３】
2015036765.tif 000015
【図１４】
2015036765.tif 000016
【図１５】
2015036765.tif 000017